(57)【要約】【課題】機器を大きくすることなくグリップ部１０７を充分に長くし、ビデオカメラを把持し易くすること。【解決手段】カメラ部のグリップ部にグリップ本体と補助グリップ部を有するビデオカメラであって、グリップ本体に第１のギアが固着され、補助グリップ部が、把持部材と中間部材と第２のギアから構成され、把持部材と中間部材間に第１のガイド溝とこの溝と係合するスライド部で構成されるガイド機構を設け、把持部材には直線長穴状の第２のガイド溝を、中間部材には第１、第２の軸と円弧長孔状の第３のガイド溝を、第２のギアには第３の軸を形成し、第１の軸を第１のギアの中心孔に貫通させてグリップ本体に回転可能に取り付け、第２のギアを第２の軸に取り付けて第１のギアと噛み合わせて第１のギアの回りを自転させながら回動させ、第３の軸を第２のガイド溝及び第３のガイド溝に係合し、両ガイド溝に沿って移動可能に設ける。【選択図】　　図１
2004062077.tif 000002
【特許請求の範囲】
【請求項１】
記録再生部とカメラ部から構成され、カメラ部がレンズと操作ボタンとグリップ部と電源ＳＷから構成され、グリップ部がグリップ本体と補助グリップ部から構成されるビデオカメラであって、
グリップ本体が、キャビネットとその表面に固着された第１のギアから構成され、
補助グリップ部が、把持部材と中間部材と第２のギアから構成され、
把持部材と中間部材間に、把持部材を中間部材に対してグリップ部延長方向に直線運動させるガイド機構を設け、
把持部材は、その中央やや右側に直線長穴状の第２のガイド溝が形成され、
中間部材は、中央の下部と上部に第１、第２の軸が固着され、また上部の第２の軸の右側に円弧長孔状の第３のガイド溝が形成され、
第２のギアは、下部に第３の軸が固着されており、
ガイド機構は、把持部材と中間部材の一方に設けられる第１のガイド溝と、他方に設けられて第１のガイド溝と係合するスライド部とで構成され、
中間部材は、その第１の軸を第１のギアの中心孔に貫通させて、グリップ本体に対して回転可能に取り付けられ、
第２のギアは、中間部材の第２の軸に回転可能に取り付けられ、第１のギアと噛み合って第１のギアの回りを自転しながら回動し、
第２のギアの第３の軸は、中間部材の第３のガイド溝及び把持部材の第２のガイド溝に係合し、両ガイド溝に沿って移動可能に設けられている、
ことを特徴とするビデオカメラ。
【請求項２】
請求項１に記載されたビデオカメラにおいて、
第１のガイド溝が把持部材の両側に沿って設けられることを特徴とするビデオカメラ。
【請求項３】
請求項２に記載されたビデオカメラにおいて、
第１のガイド溝がコの字形であり、中間部材側のスライド部が中間部材の側面であることを特徴とするビデオカメラ。
【請求項４】
請求項１に記載されたビデオカメラにおいて、
第１のガイド溝が中間部材の両側に沿って設けられることを特徴とするビデオカメラ。
【請求項５】
請求項４に記載されたビデオカメラにおいて、
第１のガイド溝が直線長孔状であり、把持部材側のスライド部が把持部材に設けた突起であることを特徴とするビデオカメラ。
【発明の詳細な説明】
【０００１】
【発明の属する技術分野】
本発明は、記録再生部とカメラ部からなるビデオカメラに関し、特にそのカメラ部にグリップ部が設けられているビデオカメラに関するものである。
【０００２】
【従来の技術】
記録再生部とカメラ部からなるビデオカメラは、従来から広く知られている。その例を図７〜図９に示す。図７は従来のビデオカメラの背面図（液晶表示部１０４側から見た図）、図８はその側面図（図７の右側から見た図）、図９はその正面図（カメラ部のみを図示し、記録再生部は省略する）である。ビデオカメラ１０１は、記録再生部１０２とカメラ部１０３から構成される。記録再生部１０２には液晶表示部１０４が設けられている。カメラ部１０３は、レンズ１０５と操作ボタン１０６とグリップ部１０７と電源ＳＷ１１０から構成される。レンズ１０５はカメラ部１０３の正面上部に、操作ボタン１０６はカメラ部１０３の背面に、電源ＳＷ１１０はカメラ部１０３の側面に設けられている。グリップ部１０７はレンズ１０５の下部に形成されている。
【０００３】
ところで、従来例のビデオカメラでは、グリップ部１０７の長さＭが短くて握り難いので、把持し易くするために補助グリップ１０９を設けている。即ち、グリップ部１０７は、グリップ本体１０８と補助グリップ１０９から構成されている。補助グリップ１０９には軸１１１が立設されていて、グリップ本体１０８に適度な回転トルクをもって支持されている。補助グリップ１０９は、軸１１１を中心に回転して図８、図９に破線で示す位置まで回転し、補助グリップ１０９′となって、グリップ部１０７の長さをＬまで延ばしている。このようにして、ビデオカメラを把持し易くしている。
【０００４】
【発明が解決しようとする課題】
しかし、グリップ部１０７の長さをＬまで延ばしても、ビデオカメラが把持し易いと言うにはまだ不充分である。これを解決するために、補助グリップ１０９長さをもっと長くすることが考えられるが、補助グリップ１０９の上部に電源ＳＷ１１０が設けられているので不可能である。そこで、補助グリップ１０９を電源ＳＷ１０９と干渉しない位置に形成することも考えられるが、そのようにすると結果としてビデオカメラが大きくなり、機器の小型化の観点から問題である。
【０００５】
本発明は、以上述べた従来技術の問題点に鑑みてなされたものであり、機器を大きくすることなくグリップ部１０７を充分に長くし、ビデオカメラを把持し易くすることを目的とする。
【０００６】
【課題を解決するための手段】
上記の目的を達成するため、
請求項１の記載に係る発明は、
記録再生部とカメラ部から構成され、カメラ部がレンズと操作ボタンとグリップ部と電源ＳＷから構成され、グリップ部がグリップ本体と補助グリップ部から構成されるビデオカメラであって、
グリップ本体が、キャビネットとその表面に固着された第１のギアから構成され、
補助グリップ部が、把持部材と中間部材と第２のギアから構成され、
把持部材と中間部材間に、把持部材を中間部材に対してグリップ部延長方向に直線運動させるガイド機構を設け、
把持部材は、その中央やや右側に直線長穴状の第２のガイド溝が形成され、
中間部材は、中央の下部と上部に第１、第２の軸が固着され、また上部の第２の軸の右側に円弧長孔状の第３のガイド溝が形成され、
第２のギアは、下部に第３の軸が固着されており、
ガイド機構は、把持部材と中間部材の一方に設けられる第１のガイド溝と、他方に設けられて第１のガイド溝と係合するスライド部とで構成され、
中間部材は、その第１の軸を第１のギアの中心孔に貫通させて、グリップ本体に対して回転可能に取り付けられ、
第２のギアは、中間部材の第２の軸に回転可能に取り付けられ、第１のギアと噛み合って第１のギアの回りを自転しながら回動し、
第２のギアの第３の軸は、中間部材の第３のガイド溝及び把持部材の第２のガイド溝に係合し、両ガイド溝に沿って移動可能に設けられている、
ことを特徴とし、
請求項２の記載に係る発明は、
請求項１に記載されたビデオカメラにおいて、
第１のガイド溝が把持部材の両側に沿って設けられることを特徴とし、
請求項３の記載に係る発明は、
請求項２に記載されたビデオカメラにおいて、
第１のガイド溝がコの字形であり、中間部材側のスライド部が中間部材の側面であることを特徴とし、
請求項４の記載に係る発明は、
請求項１に記載されたビデオカメラにおいて、
第１のガイド溝が中間部材の両側に沿って設けられることを特徴とし、
請求項５の記載に係る発明は、
請求項４に記載されたビデオカメラにおいて、
第１のガイド溝が直線長孔状であり、把持部材側のスライド部が把持部材に設けた突起であることを特徴とする。
【０００７】
【発明の実施の形態】
本発明のビデオカメラの実施例を図１〜図６を用いて説明する。
【０００８】
図１は本発明のグリップ部の実施例の使用時のビデオカメラの側面図（図８に相当）であり、図２は本発明の補助グリップ部の実施例の収容時の位置（Ｄ）及び使用時の位置（Ｅ）を示す図であり、図３は、図２において補助グリップ部を使用しない時（収容時）の補助グリップ部の正面図、Ａ−Ａ断面図、Ｂ−Ｂ断面図であり、図４はＢ−Ｂ断面図において補助グリップ部を矢印Ｃから見た図であり（キャビネット５０を除外している）、図５は本発明の補助グリップ部の実施例の把持部材１０の裏面図であり、図６は本発明の補助グリップ部の実施例の中間部材２０の裏面図である。
【０００９】
本発明のグリップ部は、グリップ本体１０８と補助グリップ部から構成される。
【００１０】
本発明のグリップ本体１０８は、図３のＡ−Ａ断面図、Ｂ−Ｂ断面図に示すように、キャビネット５０と、その表面に固着される第１のギア４０と、その裏面に設けられる補強板４１から構成される。
【００１１】
本発明の補助グリップ部は、把持部材１０と中間部材２０と第２のギア３０から構成される。把持部材１０は、図５に示すように、操作者が把持し易いようにその右上部分（図２の使用時の位置（Ｅ）では右下部分）に凸部を有し、その両側にコの字形の第１のガイド溝１１が対でグリップ部延長方向に沿って形成されており、また、中央やや右側に左右に延びる直線長穴状の第２のガイド溝１２が１個形成されている。第２のガイド溝１２は、後で説明する第２のギア３０の第３の軸３１が、第２のギア３０の回転の伴う直線長穴内で左右に移動する範囲を含む長さを有し、第２のギア３０の中心から第３の軸３１までの距離即ち半径Ｒに、左右に若干の余裕を持たせたＲ＋αの長さとなるように形成される。中間部材２０は、図６に示すように、中央下部に第１の軸２２が、中央上部に第２の軸２３が固着されており、また第２の軸２３の右側に第２の軸２３の周囲を半周する円弧長孔状の第３のガイド溝２４が形成されている。第３のガイド溝２４は、第２のギア３０の第３の軸３１が、第２のギア３０の自転に伴って第２のギア３０の中心とする半径Ｒの円周上を移動する範囲即ち円周の半分を含むように形成されている。把持部材１０と中間部材２０の間に設けられ、把持部材１０を中間部材２０に対してグリップ部延長方向に直線運動させる本発明のガイド機構は、前述した実施例では、把持部材１０に形成したコの字形の第１のガイド溝１１と、中間部材２０のスライド部２１である両側面で構成されている。第２のギア３０は、図３に示すように、下部に第３の軸３１が固着されている。
【００１２】
本発明の補助グリップ部は、以下のようにして、組み立てられ、カメラ部１０３のグリップ本体１０８に取り付けられる。始めに、把持部材１０の第１のガイド溝１１に中間部材２０のスライド部２１である両側面を係合させることにより、把持部材１０に中間部材２０を挿入する。次に、第２のギア３０の第３の軸３１が、中間部材２０の円弧長孔状の第３のガイド溝２４を貫通し、且つ、把持部材１０の直線長穴状の第２のガイド溝１２と係合するようにして、第２のギア３０を中間部材２０の第２の軸２３に取り付け、第１の止め輪３２により抜け止めする。このようにして補助グリップ部は組み立てられる。最後に、補助グリップ部の中間部材２０の第１の軸２２を、グリップ本体１０８のキャビネット５０の表面に固着した第１のギア４０の中心孔、キャビネット５０の孔、キャビネット５０の裏面に設けた補強板４１の孔、板バネ４２に貫通させ、第２の止め輪４３により抜け止めして、補助グリップ部をグリップ本体１０８に取り付ける。その際、補助グリップ部側の第２のギア３０の歯と、キャビネット５０側の第１のギア４０の歯が噛み合うようにして取り付ける。
【００１３】
本発明のグリップ部は、以上述べたように構成されているので、次のように動作する。把持部材１０と中間部材２０と第２のギア３０からなる補助グリップ部はほぼ一体となって、中間部材２０の第１の軸２２により、グリップ本体１０８のキャビネット５０に対して、板バネ４２のバネ圧により適度な回転トルクで回転可能である。回転する場合、第１のギア４０はキャビネット５０に固着されているので、第１のギア４０の回りを第２のギア３０が自転しながら回動することになる。その状態を図２、図３に示す。収容時（Ｄ）には、図３に示すように、第２のギア３０は第１のギア４０の上部に在り、第２のギア３０の第３の軸３１は第１のギア４０側に近接して存在する。途中では、第２のギア３０は第１のギア４０の左側を通る。使用時（Ｅ）には、図２に示すように、第２のギア３０は第１のギア４０の下部に、且つ第２のギア３０の第３の軸３１は第１のギア４０と反対側に来るようになる。第１のギア４０の回りを第２のギア３０が自転しながら回動すると、第２のギア３０に固着された第３の軸３１が、中間部材２０に形成された円弧長孔状の第３のガイド溝２４、及び把持部材１０に形成された直線長穴状の第２のガイド溝１２、に沿って移動する。第３の軸３１が移動すると、両ガイド溝１２、２４の形状に従って把持部材１０及び中間部材２０を動作させ、把持部材１０と中間部材２０は相対的に直線運動し、収容時（Ｄ）ではほぼ一体であった把持部材１０と中間部材２０は、使用時（Ｅ）では図２に示すように、把持部材１０が、第２のギア３０の中心から第３の軸３１までの半径Ｒの２倍即ち２Ｒほど中間部材２０の下側に移動することになる。その結果、グリップ部１０７の長さは図１に示すＮに延長されたことになる。（Ｎ−Ｌ≒２Ｒ）
なお、本発明のガイド機構の他の実施例としては、図示しないが、中間部材２０の両側に沿って直線長孔状の溝を設け、把持部材１０に直線長孔状の前記溝に係合する突起を設けることが考えられる。直線長孔状の溝がガイド機構の第１のガイド溝となり、突起がガイド機構のスライド部となる。
【００１４】
【発明の効果】
以上述べたように、本発明は、機器を大きくすることなくグリップ部１０７を充分に長くし、ビデオカメラを把持し易くすることができる。
【図面の簡単な説明】
【図１】本発明の補助グリップ部を使用した時のビデオカメラの側面図（図８に相当）である。
【図２】本発明の補助グリップ部の収容時（Ｄ）及び使用時（Ｅ）の位置を示す図である。
【図３】図２において補助グリップ部を使用しない時（収容時）の補助グリップ部の正面図、Ａ−Ａ断面図、Ｂ−Ｂ断面図である。
【図４】図３のＢ−Ｂ断面図において補助グリップ部を矢印Ｃから見た図である（キャビネット５０を除外している）。
【図５】本発明の補助グリップ部の把持部材１０の裏面図である。
【図６】本発明の補助グリップ部の中間部材２０の裏面図である。
【図７】従来のビデオカメラの背面図（液晶表示部１０４側から見た図）である。
【図８】従来のビデオカメラの側面図（図７の右側から見た図）である。
【図９】従来のビデオカメラの正面図（カメラ部１０３のみを示す）である
【符号の説明】
１０　把持部材
１１　コの字形の第１のガイド溝
１２　直線長穴状の第２のガイド溝
２０　中間部材
２１　スライド部
２２　第１の軸
２３　第２の軸
２４　円弧長孔状の第３のガイド溝
３０　第２のギア
３１　第３の軸
３２　第１の止め輪
４０　第１のギア
４１　補強板
４２　板バネ
４３　第２の止め輪
５０　キャビネット
１０１　ビデオカメラ
１０２　記録再生部
１０３　カメラ部
１０４　液晶表示部
１０５　レンズ
１０６　操作ボタン
１０７　グリップ部
１０８　グリップ本体
１０９　補助グリップ
１１０　電源ＳＷ
１１１　軸
【図１】
2004062077.tif 000003
【図２】
2004062077.tif 000004
【図３】
2004062077.tif 000005
【図４】
2004062077.tif 000006
【図５】
2004062077.tif 000007
【図６】
2004062077.tif 000008
【図７】
2004062077.tif 000009
【図８】
2004062077.tif 000010
【図９】
2004062077.tif 000011